(57)【要約】      （修正有）【課題】真珠の持つ装飾性を持つ真珠製装身具でありながら、首や手首等の周囲にゲルマニウムの半導体による力や、磁性体の磁力を作用させて血行を良くさせることが可能な真珠製装身具を提供する。【解決手段】真珠１０１の背面に凹所１０２を設け、当該凹所に磁性体あるいはゲルマニウムからなる粒状体１０４を収納固定し、さらに前記真珠表面を所定の厚みのコーティング層１０３で被覆したことを特徴とする真珠製装身具。【選択図】図２
0003116307.tif 000002
【実用新案登録請求の範囲】
【請求項１】
真珠の背面に凹所を設け、当該凹所に磁性体あるいはゲルマニウムからなる粒状体を収納固定し、さらに前記真珠表面を所定の厚みのコーティング層で被覆したことを特徴とする真珠製装身具。
【請求項２】
半割真珠の背面に凹所を設け、当該凹所に磁性体あるいはゲルマニウムからなる粒状体を収納固定した上、半割真珠の背面に半割真珠を貼り合せて球体とするとともに、前記真珠表面を所定の厚みのコーティング層で被覆したことを特徴とする真珠製装身具。
【請求項３】
所定の厚みのコーティング層が、水性アクリル塗料製であることを特徴とする請求項１または２に記載の真珠製装身具。
【考案の詳細な説明】
【技術分野】
【０００１】
この考案は真珠製装身具でありながら、首や手首等の周囲に磁気を作用させることができ、首や手首等にゲルマニウムの半導体による力や、磁性体の磁力を作用させて血行を良くさせることが可能な真珠製装身具に関するものである。
【背景技術】
【０００２】
従来の磁気リングとしては、特開平８−１０７９３７号公報（特許文献１参照）に記載されたような、指輪のリング部分の内面に永久磁性体を埋め込んだものが知られている。そして前記先行技術には、図５のようなリング部分１１の内面に円柱状の永久磁性体１２を埋め込み、必要に応じて再着磁した指輪や、図６のような、リング部分１１の内面に細条状の磁性体１２'を埋め込んだ指輪も開示されている。
また、特開２０００−３３４０４９公報（特許文献２参照）には、図７のような鞘芯構造のリング構成部材２１を構成する装飾性金属類２３の内部に永久磁性体２２を埋め込んだものが示されている。
【０００３】
一方、特開平０９−０５６８３５号公報（特許文献３参照）には、台座の凹部を肩紐の内側にあてがい、鉤を閉じて台座との間に肩紐を挾み込み、台座を肩紐の内側に定着させる。その定着した状態で金属体は台座により肩紐の裏側に保持されることとなり、金属体が人体の経穴の位置に押し当てられるようにした懲り治療具が示されている。
また一般に、ゲルマニウムの成形体を人体のつぼに押し当てることにより、人体の生体電流にゲルマニウムの負電荷を作用させて健康増進を図るようにしたものも周知である。
すなわち、ゲルマニウムは通常、一番外側の軌道に４個の電子が不規則に周遊しているが、摂氏３２度以上の物体と接触することで４個の電子のうち１個のマイナス電子が外に飛び出し、人体にたまった正電荷との電位差を利用して出たり入ったりが行なわれている。たいへん微弱であるが、この働きは半永久的なものである。そして細胞内や血管、リンパ腺の電気バランスの乱れがゲルマニウムの整電作用で良化し、これが原因の肩こりなどに効果があると言われている。
また接触面の温度を０．５度あげることから血行が良化し、この力からも体のトラブルに効果があると言われている。
【特許文献１】特開平８−１０７９３７号公報
【特許文献２】特開２０００−３３４０４９公報
【特許文献３】特開平０９−０５６８３５号公報
【考案の開示】
【考案が解決しようとする課題】
【０００４】
しかしながら前記したいずれの装身具も、金属製あるいは貴金属製、樹脂製等の装身具本体の内側や内部に磁性体等をはめ込んだものであり、いわゆる装飾性の面であまり優れたデザインやバリエーションを得ることが難しいという欠点があった。
【０００５】
後者の、ゲルマニウムを用いた懲り治療具やゲルマニウムの成形体を用いるものにおいても同様に、装飾性の面であまり優れたデザインやバリエーションを得ることが難しいという欠点があった。
【０００６】
この考案は従来例の前記欠点を解消しようとするものであり、真珠の持つ装飾性を持つ真珠製装身具でありながら、首や手首等の周囲にゲルマニウムの半導体による力や、磁性体の磁力を作用させて血行を良くさせることが可能な真珠製装身具を提供しようとするものである。
【課題を解決するための手段】
【０００７】
すなわちこの考案の真珠製装身具は、真珠の背面に凹所を設け、当該凹所に磁性体あるいはゲルマニウムからなる粒状体を収納固定し、さらに前記真珠表面を所定の厚みのコーティング層で被覆したことを特徴とするものである。
【０００８】
この考案の真珠製装身具は、半割真珠の背面に凹所を設け、当該凹所に磁性体あるいはゲルマニウムからなる粒状体を収納固定した上、半割真珠の背面に半割真珠を貼り合せて球体とするとともに、前記真珠表面を所定の厚みのコーティング層で被覆したことをも特徴とするものである。
【０００９】
この考案の真珠製装身具は、所定の厚みのコーティング層が、水性アクリル塗料製であることをも特徴とするものである。
【考案の効果】
【００１０】
この考案によれば、真珠の高級感のある装飾性を持つ真珠製装身具でありながら、首や手首等の周囲にゲルマニウムの半導体による力や磁性体の磁気を作用させることができ、首や手首等の血行を良くさせることが可能な真珠製装身具を提供することができるようになった。
【００１１】
またこの考案の真珠製装身具は、製造が簡単であるとともに、錆等の発生もなく長期間の使用にも充分耐えることができ、耐久性に優れていて衝撃等で破損したり、真珠の表面が劣化したり擦過傷等を負うといった欠点のない真珠製装身具を提供することができるようになった。
【考案を実施するための最良の形態】
【００１２】
以下に、この考案による真珠製装身具の実施の形態を、図面に基づいて詳細に説明する。
図面はこの考案の真珠製装身具の１実施例を示すものであり、図１は真珠を用いた例を示す斜視図、図２はその断面図、図３は半割真珠を球状に組み付けた例を示す斜視図、図４はその断面図である。
【００１３】
図１および図２に示す実施例において１０１は、その背面中央に凹所１０２を形成した真珠であり、その周囲を所定の肉厚のコーティング層１０３で被覆したものである。また前記凹所１０２には、ゲルマニウムからなる粒状体１０４を収納固定している。
前記真珠１０１としては、通常の球状真珠やブリスターパールのような変形した真珠等が使用でき、ゲルマニウムからなる粒状体１０４の突出が極端にならないように、背面に平坦部分があるような変形真珠を用いることが望ましい。
前記粒状体１０４を構成するゲルマニウムとしては、純ゲルマニウム(5N 99.999%)やその合金、粉末、もしくはこれらを配合したゴムあるいは樹脂成形体などが挙げられる。もちろん、ゲルマニウムの半導体による力や加工性等を勘案して、純ゲルマニウム(5N 99.999%)やその合金が望ましい。
【００１４】
これらの素材からなる粒状体１０４は、その形状が角形、球状、円盤状等の板状、丸棒状や角棒状等の棒状、Ｕ字状断面、その他の形状から適宜選択することができ、その長さも短いものから長いものまで自由に選択することができる。
【００１５】
前記真珠１０１は、さらにその表面に所定の厚みのコーティング層１０３を形成したことを特徴としている。前記コーティング層１０３の原材料は水性アクリル塗料からなる防汚染性塗料であることが望ましい。この水性アクリル塗料からなる防汚染性塗料は次のような特徴を有している。
１．シンナーを使用しないので、臭気と人に対する安全性で環境改善に貢献することができる。
２．緻密な塗膜形成で、光沢と耐汚染性を向上させている。
３．弾性下地材との組合せで優れた品質を確保することができる。
４．エマルション粒子を小さく均一にして塗肌の仕上りを向上させ、粒径の調整により光の屈折を利用して隠ぺい力が向上させることができる。
５．水は通さず水蒸気は通すので、優れた呼吸性を維持する。
【００１６】
次に、図３および図４に示す実施例において２０１は、その背面中央に凹所２０２を形成した半割真珠であり、その周囲を所定の肉厚のコーティング層２０３で被覆したものである。また前記凹所２０２には、磁性体からなる粒状体２０４を収納固定している。
【００１７】
その上で、前記半割真珠２０１の背面に次の半割真珠２０５を貼り合せて球体としたものである。もちろん、前記半割真珠２０５の表面にも所定の厚みのコーティング層２０３を形成している。
【００１８】
以上のようにして得た真珠製装身具において、前記粒状体２０４を構成する磁性体としては、着磁しやすい鉄、ニッケル、コバルト、マンガン、およびそれらの化合物や合金、粉末、もしくはこれらを配合したゴムあるいは樹脂成形体などが挙げられる。もちろん、磁性体の磁力や加工性、コスト等を勘案して、鉄あるいは鉄の合金が望ましい。
前記磁性体からなる粒状体２０４は、その形状が角形、球状、円盤状等の板状、丸棒状や角棒状等の棒状、Ｕ字状断面、その他の形状から適宜選択することができ、その長さも短いものから長いものまで自由に選択することができる。
またこの磁性体からなる粒状体２０４に対しては、必要に応じて着磁作業が行なわれる。その際に得ようとする磁力は、着磁作業において、あるいは磁性体の組成等によって適宜調整することが可能である。
【００１９】
前記真珠製装身具をペンダントトップやブローチ、イヤリング等に使用する場合は、バチカン等を取り付けてチェーンや紐類に装着したり、ブローチやイヤリング用の金具（や台）に装着して使用する。
また真珠製装身具を連珠状の装身具として使用する場合には、それぞれの真珠製装身具にチェーンや紐類を通す貫通孔を設け、当該貫通孔にチェーンや紐類を通して連珠状の装身具として使用することができる。
【００２０】
なお前記したところではゲルマニウムからなる粒状体１０４を真珠１０１表面から部分的に露出するよう真珠１０１に取り付けた場合について説明したが、磁性体からなる粒状体２０４も同様に真珠１０１表面から部分的に露出するよう真珠１０１に取り付けることができる。
【産業上の利用可能性】
【００２１】
この考案によれば、ペンダントトップやブローチ、イヤリング等の単独の装身具や、連珠状の装身具として使用することができ、首や手首等の周囲にゲルマニウムの半導体の力や磁性体の磁気を作用させることができ、首や手首等の血行を良くさせることが可能な真珠製装身具を提供することができるようになった。
【００２２】
またこの考案の真珠製装身具は、ペンダントトップやブローチ、イヤリング等の単独の装身具や、連珠状の装身具以外の、ブレスレットやアンクレット、その他の装身具に利用することができるのはいうまでもない。
【図面の簡単な説明】
【００２３】
【図１】真珠を用いた例を示す斜視図である。
【図２】その断面図である。
【図３】半割真珠を球状に組み付けた例を示す斜視図である。
【図４】その断面図である。
【図５】第１の従来例を示す斜視図である。
【図６】第２の従来例を示す斜視図である。
【図７】第３の従来例を示す斜視図である。
【符号の説明】
【００２４】
１０１  真珠
１０２  凹所
１０３  コーティング層
１０４  粒状体
２０１  半割真珠
２０２  凹所
２０３  コーティング層
２０４  粒状体
２０５  半割真珠
【図１】
0003116307.tif 000003
【図２】
0003116307.tif 000004
【図３】
0003116307.tif 000005
【図４】
0003116307.tif 000006
【図５】
0003116307.tif 000007
【図６】
0003116307.tif 000008
【図７】
0003116307.tif 000009